(57)【要約】【課題】　瓶の内外の気圧をバランスすると同時に、エマルジョンがピストンリンクとの接触を防止し、液登り現象が生じない液の侵入防止空気通路をもつエマルジョンポンプを提供する。【解決手段】　液の侵入防止空気通路をもつエマルジョンポンプは、ピストンリンクと、押しバーと、ねじスリーブと、シリンダと、バネと、ゴム管と、ガスケットとを備える。その中に、シリンダの上端ねじ部がねじスリーブ６のねじ部と噛合し、シリンダの上端ねじ部の歯の幅をＡとし、ねじスリーブがシリンダのねじと接続するねじ部の歯溝の幅をＢとすると、ＢがＡよりも大きく、これらのねじ間にすきまが形成され、また、シリンダの上端とねじスリーブの頂部下表面の接触面との間に隙間が存在し、エマルジョンポンプ内に液の侵入を防止する空気通路が形成される。【選択図】　　　　図２
2004115130.tif 000002
【特許請求の範囲】
【請求項１】
　上チェック弁が内置されるピストンリンクと、上昇ピストンリンクの上端に固定される押しバーと、その中央貫通孔の下部壁面に進水防止ガイドスリーブが一体形成され、上記進水防止ガイドスリーブの内壁がピストンリンクの外壁と滑合するねじスリーブと、その上端ねじ部とねじスリーブのねじ部と噛み合い、内部に下チェック弁及びバネが設けられるシリンダと、その上端がシリンダの下端と固定接続するゴム管と、シリンダ上端の外側に設けられ、ねじスリーブの内側の下表面に密着するガスケットとを備える液の侵入防止空気通路をもつエマルジョンポンプにおいて、 
　シリンダの上端ねじ部の歯の幅をＡとし、ねじスリーブがシリンダと噛合するねじ部の歯溝の幅をＢとすると、ＢがＡよりも大きく、これらの間の間隙がエマルジョンポンプの空気通路の一部を形成し、また、シリンダの上端とねじスリーブの頂部下表面の接触面との間に隙間が存在することを特徴とする液の侵入防止空気通路をもつエマルジョンポンプ。
【請求項２】
　シリンダの上端に少なくとも１個の切り欠きが存在することを特徴とする請求項１記載のエマルジョンポンプ。
【発明の詳細な説明】
【技術分野】
【０００１】
　本発明は液の侵入防止空気通路をもつエマルジョンポンプに関する。
【背景技術】
【０００２】
　エマルジョンポンプが作動時に、絶えずに瓶内のエマルジョンが吸い出されるとともに、空気が瓶内に補充され、瓶の内部と外部の気圧がバランスすることによって、瓶内のエマルジョンが絶えずに吸い出されることが保たれる。空気が流れる通路を「空気通路」と称する。図１に示す従来のエマルジョンポンプでは、シリンダ１の壁面に１個または複数の穴２（図１には１個だけ示されている）が設けられ、瓶の内外を接続している。しかし、穴２が瓶の内外の気圧をバランスする一方、悪影響をもたらすこともある。例えば、輸送中、瓶内のエマルジョンが穴２を通ってシリンダ１内に極めて侵入しやすくなっている。このようなときに、エマルジョンポンプの押しバ−３が通常図１の如くロックされているので、シリンダ１に侵入したエマルジョンがピストンリンク４を覆うようになっている。エマルジョンポンプを使い始めるときに、ピストンリンク４が押しバー３の上昇に伴ってシリンダカバー５を通り、ピストンリンク４にくっついているエマルジョンが現れるようになり、いわゆる「液登り」現象が生じてしまう。このような液登り現象が見た目がよくないだけでなく、使用にも支障をもたらすので、解決すべき現象である。 
【発明の開示】
【発明が解決しようとする課題】
【０００３】
　本発明の目的は、瓶の内外の気圧をバランスすると同時に、エマルジョンがピストンリンクとの接触を防止し、液登り現象が生じない液の侵入防止空気通路をもつエマルジョンポンプを提供することである。 
【課題を解決するための手段】
【０００４】
　 本発明の上目的は以下の技術案により実現されるものである。液の侵入防止空気通路
をもつエマルジョンポンプは、上チェック弁が内置されるピストンリンクと、上昇ピストンリンクの上端に固定される押しバーと、その中央貫通孔の下部壁面に一体として形成される進水防止ガイドスリーブを備え、上記進水防止ガイドスリーブの内壁がピストンリンクの外壁と滑合するねじスリーブと、その上端ねじ部とねじスリーブのねじ部と噛み合い、内部に下チェック弁及びバネが設けられるシリンダと、その上端がシリンダの下端と固定接続するゴム管と、シリンダ上端の外側に設けられ、ねじスリーブの内側の下表面に密着するガスケットとを備え、その中に、シリンダの上端ねじ部の歯の幅をＡとし、ねじスリーブとシリンダとのねじ接続部の歯溝の幅をＢとすると、ＢがＡよりも大きい。また、シリンダの上端とねじスリーブの頂部下面との接触面の間に隙間が存在する。 
【０００５】
　上記エマルジョンポンプにおいて、シリンダの上端に少なくとも１個の切り欠きが存在する。
【０００６】
　本発明の利点は、このように形成された空気通路がエマルジョンの空気通路に沿って逆方向に流出することを有効に防止できることである。これは下記の理由による。 
【０００７】
　１．ガスケットが重要な遮断作用を持ち、シリンダとガスケットとの隙間には空気が簡単に通ることができるが、エマルジョンが通りにくくなっている。 
【０００８】
　２．シリンダの上端ねじ部がねじスリーブのねじ部と噛合する際に、これらのねじ間に隙間が形成され、このすきまがシリンダを囲って螺旋状に延びるので、エマルジョンが侵
入しにくくなっている。 
【０００９】
　３．このように形成された空気通路がシリンダの上端の最高点での切り欠きを通過するので、エマルジョンはこの高さまで登ることは難しい。 
【００１０】
　４．空気通路は進水防止ガイドスリーブとピストンリンクとの間の隙間、シリンダの上端の切り欠き、シリンダとねじスリーブのねじ歯との間の隙間、ガスケットとシリンダ外側壁との間の隙間を通り、最後にエマルジョン瓶に入るので、エマルジョンがこのように長く、高く、曲がりの多い空気通路を逆方向に流れることが不可能である。 
【００１１】
　本発明の具体的な構造は以下の実施例及び添付図により与えられる。 
【発明を実施するための最良の形態】
【００１２】
　　以下本発明の実施例について、図面を参照しながら説明する。 
【００１３】
　図２と図４からわかるように、本発明のエマルジョンポンプは、押しバー３と、ピストンリンク４と、ねじスリーブ６と、シリンダ１７と、ゴム管１８を備える。 
【００１４】
　押しバー３の中に通路７が設けられ、通路の下端にソケット８を有する。ソケット８は内管９と外管１０を含み、外管１０の外壁に雄ねじ１１が設けられ、内管と外管との間に環状の凹溝１２が形成されている。 
【００１５】
　ピストンリンク４の上端１３の外径が縮小し、かつ内管９の内壁に固定接続される。ピストンリンク４のほかの部分の外径は内管９の外径と同一である。ピストンリンク４の内側に上弁座１９が設けられ、上弁座１９の上に上ガラスボール２０が置かれ、上弁座１９と上ガラスボール２０が上へ開けるチェック弁を構成される。 
【００１６】
　ねじスリーブ６に中央貫通孔１４を備え、中央貫通孔１４の下部に進水防止ガイドスリーブ１５が一体形成される。該進水防止ガイドスリーブ１５の内壁がピストンリンク４の外壁と滑合でき、かつ該進水防止ガイドスリーブ１５の上端がねじスリーブ６の上平面よりも高い。また、中央貫通孔１４の上部に押しバー３の雄ねじ１１と噛合できる雌ねじ１６が形成される。 
【００１７】
　シリンダ１７の上端はねじによりねじスリーブ６と接続され、シリンダ１７の内壁がピストンリンク４の下端の外側壁と密封し、スライド可能に接触する。シリンダ１７の内側の下端に下弁座２１が設けられ、下弁座２１の上に下ガラスボール２２が置かれ、下弁座２１と下ガラスボール２２が上へ開けるチェック弁を構成される。また、シリンダ１７の内側にバネ２３が設けられ、バネ２３の上端がピストンリンク４の下端を押し上げ、バネ２３の下端がシリンダ１７の下端に支持される。 
【００１８】
　また、ねじスリーブ６の内側平面にガスケット２４が設けられ、シリンダ１７の下端にゴム管１８が設けられる。 
【００１９】
　上記通り、シリンダ１７の上端はねじによりねじスリーブ６と接続する。図３、５と６からわかるように、シリンダ１７の上端ねじ部の歯の幅をＡとし、また、シリンダ１７の上端に少なくとも１個の切り欠き２５を有する。また、ねじスリーブ６とシリンダ１７とのねじ接続部の歯溝の幅をＢとすると、歯溝の幅Ｂが歯の幅Ａよりも大きい。このように、シリンダ１７の上端ねじがねじスリーブ６と噛合する際に、これらのねじ間に隙間２６が形成される（図３を参照）。これで、空気通路が形成され、該空気通路はねじスリーブの進水防止ガイドスリーブ１５とピストンリンク４との間の隙間、シリンダ１７の上端の
切り欠き２５、シリンダ１７とねじスリーブ６のねじ歯との間の隙間２６、ガスケット２４とシリンダ１７外側壁との間の隙間を通り、最後にエマルジョン瓶（図に示されていない）に入る。このように形成された空気通路は、エマルジョン瓶内のエマルジョンが空気通路を逆方向に流れることが有効に防止され、液登り現象もなくなる。 
【００２０】
　本発明の範囲内において、上記実施例に対してさまざまな変更を行うことができる。例えば、シリンダ１７の上端に切り欠き２５を設けず、ねじスリーブ６がシリンダ１７の上端と接触する頂部の下面に切り欠きを形成しても空気通路を形成することができる（図に示されていない）。 
【図面の簡単な説明】
【００２１】
【図１】図１は従来のエマルジョンポンプの構造の概要図である。
【図２】図２は本発明の上記エマルジョンポンプがロック状態にあるときの構造の概要図である。
【図３】図３は図２の丸Ａの部分の拡大図である。
【図４】図４は本発明の上記エマルジョンポンプがオープン状態にあるときの構造の概要図である。
【図５】図５はねじスリーブの縦断面図である。
【図６】図６はシリンダの側面図である。
【図１】
2004115130.tif 000003
【図２】
2004115130.tif 000004
【図３】
2004115130.tif 000005
【図４】
2004115130.tif 000006
【図５】
2004115130.tif 000007
【図６】
2004115130.tif 000008